(57)【要約】【課題】プラズマを効率良く発生させて液体を迅速に殺菌できて、加湿フィルタから送り出す水分の除菌が充分に行える加湿器を提供する。【解決手段】導入された液体Ｌ１を旋回させることにより、液体Ｌ１の旋回流Ｆ１の旋回中心付近に気相Ｇを発生させる処理槽１２と、処理槽内に少なくとも一部が配置されて処理槽内の液体に接触する第１電極３０と、処理槽内の液体に接触するように配置された第２電極３１と、第１電極と第２電極との間に電圧を印加して気相にプラズマを発生させる電源６０とを備えて、気相にプラズマを発生させて、液体を殺菌するとともに改質成分を生成し、生成した改質成分が液体に溶解して液体中に分散して、処理液を生成し、生成した処理液を加湿フィルタ４１に浸み込ませて加湿フィルタを通過する気体の加湿を行う。【選択図】図６Ｄ
2018204842.tif 000002
【特許請求の範囲】
【請求項１】
導入部から導入される液体を中心軸周りに旋回させることにより、前記液体の旋回流の旋回中心付近に気相を発生させるとともに、前記導入部から導入された前記液体を、前記導入部との間で旋回させて前記旋回流を発生させたのち処理液として排出する排出部を有する処理槽と、
前記処理槽内に少なくとも一部が配置されて前記処理槽内の前記液体に接触する第１電極と、
前記処理槽内の前記液体に接触するように配置された第２電極と、
前記第１電極と前記第２電極との間に電圧を印加して前記気相にプラズマを発生させて前記液体を殺菌して前記処理液とするとともに改質成分を前記処理液中に生成する電源と、
前記処理槽の前記排出部から排出される前記処理液を貯留する貯留槽と、
前記処理槽の前記排出部が接続されて前記貯留槽に前記処理液として排出されて保持される貯留水を前記処理槽の前記導入部から前記処理槽内に再び導入して、前記処理槽と前記貯留槽との間で前記貯留水が循環可能とするポンプと、
上部が空気中に露出するとともに、下部が前記貯留槽の前記処理液に常時浸かるように配置された加湿フィルタとを備えて、
前記液体により前記導入部と前記排出部との間で形成された前記旋回流の前記気相に前記プラズマを発生させて、前記液体を殺菌するとともに前記改質成分を生成し、生成した改質成分が前記処理液に溶解して前記処理液中に分散し、この処理液を前記加湿フィルタに浸み込ませて前記加湿フィルタを通過する気体の加湿を行う、
加湿器。
【請求項２】
前記加湿フィルタは、ドラム形状であり、
前記加湿フィルタを回転する回転装置をさらに備える、
請求項１に記載の加湿器。
【請求項３】
前記加湿フィルタは、平板形状である、
請求項１に記載の加湿器。
【請求項４】
前記加湿フィルタは、銅又は鉄を含む材料のフィルタで構成されている、
請求項１〜３のいずれか１つに記載の加湿器。
【請求項５】
前記加湿フィルタとは異なり、かつ、銅又は鉄を含む部材を前記貯留槽の前記処理液と接触可能に配置している、
請求項１〜３のいずれか１つに記載の加湿器。
【請求項６】
前記第１電極は、前記液体の前記旋回流の前記の旋回中心付近に発生させた前記気相に接触するように、もしくは前記気相の近傍に位置するように配置される、
請求項１〜５のいずれか１つに記載の加湿器。
【請求項７】
前記処理槽は、前記導入部から供給された前記液体を旋回させて前記旋回流を発生させる円筒状もしくは円錐台形状の第１内壁を有し、
前記第１電極は、前記第１内壁の中心軸上もしくは中心軸近傍に配置される、
請求項１〜６のいずれか１つに記載の加湿器。
【請求項８】
前記第１電極は、前記中心軸もしくは前記中心軸近傍の一方の端部側に配置され、
前記第２電極は、前記中心軸もしくは前記中心軸近傍の他方の端部側に配置され、
前記導入部は、前記中心軸の前記一方の端部側に配置され、
前記排出部は、前記中心軸の前記他方の端部側に配置される、
請求項７に記載の加湿器。
【請求項９】
前記第２電極は、前記第１内壁の前記他方の端部側の前記第１内壁の前記中心軸の周りの一部にもしくは前記中心軸の全周を取り囲む様に配置される板状の電極である、
請求項８に記載の加湿器。
【請求項１０】
前記第２電極は、前記第１内壁の前記他方の端部側の前記第１内壁の前記中心軸の側方に配置される、
請求項８に記載の加湿器。
【請求項１１】
前記第２電極は、前記第１内壁の前記他方の端部側の前記第１内壁の前記中心軸の一部もしくは全周を取り囲むように配置される筒状の電極である、
請求項８に記載の加湿器。
【発明の詳細な説明】
【技術分野】
【０００１】
本発明は、液体を電気化学的に処理して生成した処理液に常時浸かる加湿フィルタを備え、加湿フィルタを通過した空気が処理液で加湿されて空気中に送り出される機構を持つ加湿器に関する。より詳細には、本発明は、液体の中でプラズマを発生させることにより液体を殺菌することで、殺菌作用及び脱臭作用がある処理液を生成し、生成した処理液を加湿フィルタにより加湿に利用する加湿器に関する。
【背景技術】
【０００２】
図１５に、従来の液体処理装置の例を示す。液体８０３（例えば、水）の中に、第１電極８０１および第２電極８０２を配置し、パルス電源８０４から両電極８０１，８０２間に高電圧パルスを印加して液体８０３を気化させ、プラズマ８０５を発生させ、液体８０３に対してプラズマ処理を行って、例えば、ヒドロキシルラジカル（ＯＨラジカル）又は過酸化水素等の酸化力を持つ成分で殺菌する液体処理装置が知られている。特に、ＯＨラジカルは高い酸化力を有することが知られており、これらの成分で、例えば、菌に対して、高い殺菌作用があるとされている。また、液体８０３の中でプラズマ８０５を発生させることで、プラズマ８０５が液体８０３で覆われており、液体由来の成分を発生させやすいことが知られている。例えば、水の中でプラズマ８０５を発生させることで、ＯＨラジカル又は過酸化水素が生成されやすいことが知られている。
【０００３】
しかしながら、上記従来の液体処理装置の場合、液体８０３を気化させるために高い印加電圧が必要なだけでなく、プラズマ８０５の発生効率が低く、液体８０３を殺菌するのに長時間を要するという問題があった。
【０００４】
そこで、印加電圧を低くしつつプラズマの発生効率を向上させるために、両電極間に外部より導入した気体を介在させるようにした液体処理装置が知られている（特許文献１参照）。特許文献１に記載の液体処理装置（図１６）では、アノード電極９０１とカソード電極９０２との間に被処理液９０３とともに気体９０４（例えば、酸素）を介在させた上で、両電極９０１，９０２間にパルス電圧を印加する。パルス電圧の印加により、気体９０４内にプラズマが発生し、液体８０３に対してプラズマ処理を行って殺菌する。特許文献１に記載の液体処理装置によれば、気体を介在させない場合よりも、印加電圧を低減させることができ、かつ、プラズマを効率良く発生させて被処理液９０３の殺菌を行うことができる。
このような液体処理装置で処理した処理液９０３に加湿フィルタを浸すことで、除菌された液体で空気を加湿して送り出す加湿器又は空気清浄装置への適用が考えられる。
【先行技術文献】
【特許文献】
【０００５】
【特許文献１】特許第４０４１２２４号
【発明の概要】
【発明が解決しようとする課題】
【０００６】
しかしながら、特許文献１に記載の液体処理装置を使用する加湿器又は空気清浄装置によれば、プラズマの発生効率が低く、液体の処理に長い時間がかかり、加湿フィルタから送り出す水分の除菌が充分にできないという問題があった。
【０００７】
本発明は、このような点に鑑み、プラズマを効率良く発生させて液体を迅速に殺菌できて、加湿フィルタから送り出す水分の除菌が充分に行える加湿器を提供することを目的とする。
【課題を解決するための手段】
【０００８】
本発明の１つの態様にかかる加湿器は、
導入部から導入される液体を中心軸周りに旋回させることにより、前記液体の旋回流の旋回中心付近に気相を発生させるとともに、前記導入部から導入された前記液体を、前記導入部との間で旋回させて前記旋回流を発生させたのち処理液として排出する排出部を有する処理槽と、
前記処理槽内に少なくとも一部が配置されて前記処理槽内の前記液体に接触する第１電極と、
前記処理槽内の前記液体に接触するように配置された第２電極と、
前記第１電極と前記第２電極との間に電圧を印加して前記気相にプラズマを発生させて前記液体を殺菌して前記処理液とするとともに改質成分を前記処理液中に生成する電源と、
前記処理槽の前記排出部から排出される前記処理液を貯留する貯留槽と、
前記処理槽の前記排出部が接続されて前記貯留槽に前記処理液として排出されて保持される貯留水を前記処理槽の前記導入部から前記処理槽内に再び導入して、前記処理槽と前記貯留槽との間で前記貯留水が循環可能とするポンプと、
上部が空気中に露出するとともに、下部が前記貯留槽の前記処理液に常時浸かるように配置された加湿フィルタとを備えて、
前記液体により前記導入部と前記排出部との間で形成された前記旋回流の前記気相に前記プラズマを発生させて、前記液体を殺菌するとともに前記改質成分を生成し、生成した改質成分が前記処理液に溶解して前記処理液中に分散し、この処理液を前記加湿フィルタに浸み込ませて前記加湿フィルタを通過する気体の加湿を行う。
【発明の効果】
【０００９】
本発明の前記態様にかかる加湿器によれば、旋回流中で液体を気化させ、生成された気相にパルス電圧を印加してプラズマを発生させる。電圧印加により液体を気化させる必要がないため、少ない電力でプラズマを発生させることができ、液体の殺菌を効率良く、迅速に行うことができて、加湿フィルタから送り出す水分の除菌が充分に行える。
【図面の簡単な説明】
【００１０】
【図１】本発明の実施形態１にかかる加湿器の構成を示す側面断面図
【図２】装置本体の側面断面図
【図３】図２の３―３線における断面図
【図４】処理槽の内部に旋回流が発生しており、電圧を印加していない状態を示す側面断面図
【図５】図４の５−５線における断面図
【図６Ａ】処理槽の内部に旋回流が発生しており、電圧を印加した状態を示す側面断面図
【図６Ｂ】図６Ａの気相中にプラズマが発生した状態の部分拡大図
【図６Ｃ】加湿器の貯留槽に処理液を供給している状態の側面断面図
【図６Ｄ】加湿器の構成を示す断面側面図
【図６Ｅ】本発明の実施形態２にかかる加湿器の構成を示す断面側面図
【図７】装置本体の変形例を示す側面断面図
【図８】装置本体の変形例を示す側面断面図
【図９Ａ】装置本体の変形例を示す側面断面図
【図９Ｂ】図９Ａとは異なる装置本体の変形例を示す側面断面図
【図１０】装置本体の変形例を示す側面断面図
【図１１】装置本体の変形例を示す側面断面図
【図１２】装置本体の変形例を示す側面断面図
【図１３】装置本体の変形例を示す側面断面図
【図１４Ａ】装置本体の変形例を示す側面断面図
【図１４Ｂ】装置本体の変形例において貯留槽の一部に銅材を配置した側面断面図
【図１５】従来の液体処理装置の概略構成図
【図１６】気体導入装置を備える従来の液体処理装置の概略構成図
【発明を実施するための形態】
【００１１】
［実施形態１］
以下、図面を参照し、本発明の実施形態に係る液体処理装置１００を有する加湿器１０１を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００１２】
［全体構成］
加湿器１０１は、少なくとも、液体処理装置１００と、加湿フィルタ４１とを備えている（図６Ｄ参照）。液体処理装置１００は、殺菌処理で使用する処理液Ｌ２を生成する装置として機能する。
まず、実施形態１にかかる加湿器１０１の液体処理装置１００の全体構成について説明する。図１は、本発明の実施形態１にかかる液体処理装置１００の構成を示す側面断面図である。以下の図では、矢印Ｆは液体処理装置１００の前方向を示し、矢印Ｂは後方向を示す。矢印Ｕは上方向を示し、矢印Ｄは下方向を示す。矢印Ｒは後方向から見て右方向、矢印Ｌは後方向から見て左方向を示す。
【００１３】
液体処理装置１００は、液体の中で放電することによって、液体を殺菌するとともに改質成分を生成し、生成した改質成分を液体の中に分散させることで処理液Ｌ２を生成する。本実施形態１では、液体の例として循環水Ｌ１を殺菌するとともにＯＨラジカル又は過酸化水素等の改質成分を含んだ処理液Ｌ２を生成する場合について説明する。ここで、循環水Ｌ１とは、後述する貯留槽９０に保持されて貯留している貯留水９２を、循環用配管８１及び配管５１を通してポンプ５０で処理槽１２に供給される液体を意味する。貯留水９２は、液体処理装置１００から貯留槽９０に供給された処理液Ｌ２、及び、その処理液Ｌ２で、貯留槽９０内の液体を除菌して除菌作用が低下した処理液も含んでいる。
【００１４】
液体処理装置１００は、少なくとも、処理槽１２と、第１電極３０と、第２電極３１と、電源６０とを備えている。より具体的には、液体処理装置１００は、装置本体１０、液体供給部５０、貯留槽９０、および電源６０を備えている。装置本体１０は、処理槽１２、導入部１５、排出部１７、第１電極３０、および第２電極３１を備えている。
【００１５】
処理槽１２は、内部に導入された循環水Ｌ１をプラズマにより、循環水Ｌ１を殺菌するとともに改質成分（例えば、ＯＨラジカル又は過酸化水素等）を生成して処理液Ｌ２を生成させる部分である。処理槽１２の材質は絶縁体でもよいし、導体でもよい。導体の場合には、各電極３０，３１との間に絶縁体を介在する必要がある。前記改質成分が貯留槽９０に排出される際に、改質成分が循環水Ｌ１に分散され、処理液Ｌ２が生成される。
処理槽１２の内壁の正面断面形状は円形である（図３参照）。言い換えれば、処理槽１２は、処理槽１２の循環水Ｌ１の旋回軸Ｘ１沿いの一端側が閉口した断面形状が円形である円柱状の処理室を有している。導入部１５は、処理槽１２の一端に配置されて、処理槽１２に循環水Ｌ１を処理槽１２の中心軸Ｘ１と直交する円形の断面形状の接線方向から導入する。導入部１５は、配管５１を介して液体供給部５０に連通している。排出部１７は、処理槽１２の他端に配置されて、処理槽１２に導入された循環水Ｌ１と処理槽１２で生成された改質成分を処理槽１２から貯留槽９０に排出させる。本実施形態１では、排出部１７は、貯留槽９０の処理液供給部９１に接続されている。
【００１６】
第１電極３０は、処理槽１２の一端の内部に配置されている。第１電極３０は、処理槽１２の一端の内壁の中央から処理槽１２内に、長手方向沿いに突出配置されている。
第２電極３１は、処理槽１２の他端の壁の外側に配置されて、排出部１７の近傍に配置されている。
第１電極３０は電源６０が接続されており、第２電極３１は接地されている。第１電極３０および第２電極３１には、電源６０により高電圧のパルス電圧が印加される。第１電極３０の材質は、一例としてタングステンを使用している。
【００１７】
液体供給部５０は、一例として、処理槽１２内に循環水Ｌ１を供給するポンプである。液体供給部５０は、配管５１に接続されている。配管５１の一端は、処理槽１２の一端の内壁近傍に配置された内側開口としての導入部１５に接続されており、配管５１の他端は図示しない液体供給源（例えば、水タンク８０）又は貯留槽９０の処理液Ｌ２を含んだ貯留水を処理槽１２と貯留槽９０との間で循環できる形に接続されている（図１の一点鎖線の循環用配管８１を参照）。
【００１８】
電源６０は、第１電極３０と第２電極３１との間に高電圧のパルス電圧を印加する。電源６０は、正のパルス電圧と負のパルス電圧とを交互に印加する、いわゆるバイポーラーパルス電圧を印加することができる。
【００１９】
貯留槽９０は、液体処理装置１００から排出される改質成分をせん断し、改質成分を内包したマイクロバブル又はナノバブルを生成し、水の中に拡散させる槽である。具体的には、貯留槽９０は、処理槽１２の排出部１７の開口断面積より大きい断面積を内部に有して、排出部１７から貯留槽９０内に排出された改質成分を貯留槽９０でせん断し、改質成分を内包したマイクロバブル、又は、マイクロバブル及びナノバブルを貯留槽９０内で生成して、水の中に拡散させる。よって、貯留槽９０はマイクロバブル生成槽として機能する。貯留槽９０としては、少なくとも、処理槽１２の排出部１７の開口の内径寸法の倍以上の内径又は一辺を確保することにより、マイクロバブル又はナノバブルを含有して殺菌を確実に行える処理液Ｌ２を貯留槽９０で生成することができる。
【００２０】
貯留槽９０は、図６Ｄに示すように、下部に配置されて処理槽１２の排出部１７に接続される処理液供給部９１と、処理液供給部９１よりも上部に配置された貯留水排出部９０ｂとを有している。後述するように液体の円滑な循環動作を行うため、貯留槽９０内の処理液Ｌ２を含む貯留水９２の液面は、貯留水排出部９０ｂよりも上方に維持されるようにする。以下の実施形態２でも同様な構成となっている。
【００２１】
貯留槽９０では、一例として、処理槽１２側に処理液供給部９１と貯留水排出部９０ｂとを配置し、後述する給水タンク４２は、処理液供給部９１と貯留水排出部９０ｂとは離れた側、例えば対向する壁面側に配置されている。
【００２２】
このような貯留槽９０では、処理槽１２中の気相ＧにプラズマＰを発生させて、循環水Ｌ１を殺菌するとともに改質成分を生成する。生成した改質成分が、液体に溶解して液体中に分散して処理液Ｌ２を生成し、生成した処理液Ｌ２が、処理槽１２の排出部１７から貯留槽９０の処理液供給部９１を経て貯留槽９０内に排出されたのち、貯留槽９０に貯留する。
【００２３】
図６Ｄでは、配管５１は、貯留槽９０の貯留水排出部９０ｂに連結されて、循環用配管８１を構成している。貯留槽９０内の貯留水９２が循環用配管８１及びポンプ５０を介して導入部１５から処理槽１２内に循環水Ｌ１として供給され、処理槽１２から排出部１７を介して排出される処理液Ｌ２が貯留槽９０内に処理液供給部９１から導入されることにより、液体が処理槽１２と貯留槽９０との間で循環するように構成されている。
【００２４】
このような液体処理装置１００の他に、加湿器１０１としては、加湿器本体４０と、加湿フィルタ４１と、回転装置４９とをさらに備えている。
【００２５】
加湿器本体４０は、その中に、液体処理装置１００を下部に収納している。液体処理装置１００の貯留槽９０は、上部開口に、加湿フィルタ４１と、給水タンク４２とが下向きに抜き差し可能に差し込まれて起立保持されている。
【００２６】
加湿フィルタ４１は、円形ドラム形状を持ち、加湿器本体４０に対して回転軸４８により回転可能に支持されて、回転するドラム形状として構成されている。回転軸４８は、モータなどの回転装置４９により少なくとも一方向に回転可能としている。加湿フィルタ４１は、回転軸４８よりも下方の一部が貯留槽９０の上部開口内に入り込み、貯留水９２に常時浸されているとともに、回転装置４９が回転軸４８とともに加湿フィルタ４１が回転すると、加湿フィルタ４１のうちの貯留水９２に浸されている部分が回転方向に移動し、加湿フィルタ４１の外周部分が常に貯留水９２で湿っている状態を維持することができる。よって、加湿フィルタ４１は、上部が空気中に常に露出するとともに、下部が貯留槽９０の処理液Ｌ２を含む貯留水９２に常時浸かるように配置されている。このような加湿フィルタ４１に対して、上部に空気を通過させれば、通過した空気に加湿を行うことができる。
【００２７】
給水タンク４２には水をユーザが入れて、その開口部を貯留槽９０の貯留水９２内に配置している。このように構成することにより、空気の通過に伴い加湿フィルタ４１から水分を蒸発させたて貯留水９２が減ったときの水の補充を行うことができる。補充された水は、液体処理装置１００で処理液として生成されて除菌機能が付加されたのち、貯留槽９０内に貯留水９２として保持される。
【００２８】
［装置本体］
次に、装置本体１０について詳細に説明する。図２は、装置本体１０の側面断面図である。
処理槽１２は、第１内壁２１、第２内壁２２、および第３内壁２３を有している。第１内壁２１は、筒状の壁部である。第２内壁２２は、第１内壁２１の図２の左端部に設けられている。第３内壁２３は、第１内壁２１の図２の右端部に設けられている。第２内壁２２および第３内壁２３は、側面視では略円形である。第１内壁２１、第２内壁２２、および第３内壁２３により、処理槽１２の内部には、略円柱状の収容空間８３が構成されている。第１内壁２１の中心軸、つまり、処理槽１２の内部に構成される略円柱状の収容空間８３の仮想の中心軸を軸Ｘ１とする。
【００２９】
第２内壁２２には、収容空間８３内に突出した円筒状の電極支持筒２４が中央に設けられている。電極支持筒２４は、筒状であり右方に延びている。電極支持筒２４は、その中心軸が第１内壁２１の中心軸Ｘ１と一致するように配置されている。電極支持筒２４の内側には、絶縁体５３を介して第１電極３０が支持されている。第１電極３０は棒状であり、絶縁体５３は第１電極３０の周囲に配置されている。このため、第１電極３０は、長手方向の軸が第１内壁２１の中心軸Ｘ１と一致するように配置されている。第１電極３０の右端部３０１の内側端面と、絶縁体５３の内側端面と、電極支持筒２４の内側端面２４１とは、ほぼ同じ面内に配置されるように構成されている。
【００３０】
導入部１５は、装置本体１０を貫通しており、一方の開口端１５１が第１内壁２１に形成されている。導入部１５は、側面視では、第２内壁２２に隣接した位置に配置されている。また、図３は、図２の３―３線における断面図である。導入部１５は、第１内壁２１の壁面に配置されている。
【００３１】
排出部１７は、第３内壁２３の中央部を貫通している。排出部１７は、その中心軸が第１内壁２１の中心軸Ｘ１と一致するように形成されている。
【００３２】
第２電極３１は、板状の金属部材であり、中央部に開口部３１１が形成されている。開口部３１１は円形であり、その中心が第１内壁２１の中心軸Ｘ１と一致するように形成されている。
【００３３】
［動作］
次に、液体処理装置１００の動作について説明する。以下では、説明の便宜上、処理槽１２の内部に気相を発生させる状態（図４および図５）と、発生させた気相Ｇにパルス電圧を印加してプラズマＰを発生させる状態（図６Ａ及び図６Ｂ）とを別図に分けて説明する。図４は、処理槽１２の内部に旋回流Ｆ１が発生しており、パルス電圧を印加していない状態を示す側面断面図である。
【００３４】
まず、図４に示すように、ポンプ５０で貯留槽９０の貯留水９２を吸い込んで導入部１５から処理槽１２に循環水Ｌ１として所定の圧力で導入される。すると、循環水Ｌ１は、第１内壁２１に沿って、旋回流Ｆ１を発生させながら導入部１５から図４の右方に向けて移動する。旋回しながら図４の右方に移動した旋回流Ｆ１は、排出部１７に向けて移動する。
【００３５】
旋回流Ｆ１により、第１内壁２１の中心軸Ｘ１付近の圧力が飽和水蒸気圧以下に低下し、循環水Ｌ１の一部が気化した水蒸気が発生することで、気相Ｇが第１内壁２１の中心軸Ｘ１付近に生成される。気相Ｇは、旋回中心付近、具体的には、第１電極３０の右端部３０１から第１内壁２１の中心軸Ｘ１に沿って、第２電極３１の開口部３１１の付近まで発生する。また、気相Ｇは、接している旋回流Ｆ１により、旋回流Ｆ１と同方向に旋回している。旋回している気相Ｇは、排出部１７の近傍で貯留槽９０内の水の抵抗を受ける事で、マイクロバブル又はナノバブルにせん断され、排出部１７から、排出部１７に接続された貯留槽９０の処理液供給部９１を介して貯留槽９０に拡散される。
【００３６】
図５は、図４の５−５線における断面図である。図４で説明したように、導入部１５から処理槽１２に循環水Ｌ１が所定の圧力で導入されると、循環水Ｌ１は、第１内壁２１に沿った図５の右回りの旋回流Ｆ１を発生させる。循環水Ｌ１が処理槽１２の内部で旋回することで、旋回流Ｆ１の中心付近、つまり第１内壁２１の中心軸Ｘ１付近の圧力が飽和水蒸気圧以下に低下し、第１内壁２１の中心軸Ｘ１付近において循環水Ｌ１の一部が気化した水蒸気が発生することで、気相Ｇが生成される。
【００３７】
図６Ａ及び図６Ｂは、処理槽１２の内部に旋回流Ｆ１が発生しており、パルス電圧を印加した状態を示す側面断面図である。図６Ａに示すように、循環水Ｌ１が気化した気相Ｇが、第１電極３０の近傍から第２電極３１の付近まで発生されている状態で、電源６０により、第１電極３０と第２電極３１との間に高電圧のパルス電圧を印加する。図６Ｂは、気相Ｇ中にプラズマＰが発生している状態を示す拡大図である。第１電極３０と第２電極３１とは、高電圧のパルス電圧が印加されると、気相Ｇ内にプラズマＰが発生し、循環水Ｌ１が殺菌されるとともに、改質成分として水由来のラジカル（ＯＨラジカル等）又は化合物（過酸化水素等）又はイオンを生成する。前記改質成分を含んだ気相Ｇは、周辺にある旋回流Ｆ１により、旋回流Ｆ１と同方向に旋回する。前記改質成分を含んだ気相Ｇが旋回することにより、前記改質成分の一部が、旋回流Ｆ１側へ溶解することで、循環水Ｌ１の中に改質成分が分散する。加えて、排出部１７付近の前記改質成分を含んだ気相Ｇは、貯留槽９０内の処理液Ｌ２の抵抗を受ける事でせん断され、改質成分を含有した気泡ＢＡを生じる。また、貯留槽９０内に処理液Ｌ２を留めることで、負圧である気相Ｇに空気が混入することを防いでいる。この様に、プラズマＰにより生成した改質成分が気泡状態もしくは処理液Ｌ２の中に溶け込んで分散された状態で、処理液Ｌ２が貯留槽９０に貯留水９２として貯められる。
【００３８】
この状態で、加湿器１０１として、（１）加湿空気を送り出す場合と、（２）空気加湿時に空気中に含有された臭気成分を加湿フィルタ４１に吸着させて脱臭する場合とに動作させることができる。
【００３９】
まず、（１）加湿空気を送り出す場合について説明する。
貯留水９２に加湿フィルタ４１が浸されたのち、加湿フィルタ４１が回転して、貯留水９２に浸された部分が上方に位置する。その貯留水９２に浸された部分を空気が通過すると、通過した空気が加湿されるとともに、処理液Ｌ２で除菌される。この除菌された空気が加湿フィルタ４１から、従って加湿器１０１から外部に送り出されて、加湿器１０１が設置された空間が加湿されることになる。
【００４０】
次に、（２）空気加湿時に空気中に含有された臭気成分を加湿フィルタ４１に吸着させて脱臭する場合について説明する。
貯留水９２に加湿フィルタ４１が浸されたのち、加湿フィルタ４１が回転して、貯留水９２に浸された部分が上方に位置する。その貯留水９２に浸された部分を空気が通過すると、通過した空気中の臭気成分が加湿フィルタ４１に捕捉される。加湿フィルタ４１において臭気成分が捕捉された部分が、加湿フィルタ４１の回転により貯留水９２に浸かる。すると、加湿フィルタ４１で捕捉された臭気成分が気泡ＢＡ及び処理液Ｌ２と接触して分解される。
【００４１】
以上説明した本実施形態１によれば、旋回流Ｆ１中で循環水Ｌ１を気化させ、生成された気相Ｇにパルス電圧を印加してプラズマＰを発生させて液体である循環水Ｌ１を殺菌するとともに液体から改質成分（液体由来のラジカル又は化合物等）を含む処理液Ｌ２を生成する。そのため、気相Ｇは、ジュール熱によって気化させた気体、もしくは外部から導入した気体によって形成される気相よりも負圧となっており、小さな電圧（すなわち、少ない電力）でプラズマＰを発生できるので、処理槽１２内での液体の殺菌処理が効率良くできて、加湿フィルタから送り出す水分の除菌が充分に行える。さらに、ジュール熱によって水を気化させないので、投入するエネルギーが小さくなる。また、外部から気体を導入しないので、気体供給装置が不要となり、液体処理装置１００の小型化がしやすくなる。すなわち、液体処理装置１００を有する加湿器１０１の全体として、構成がコンパクトなものとなり、かつ効率良くＯＨラジカル又は過酸化水素等を生成して除菌することができるとともに、臭気物質を分解することもできる。加湿器１０１としては、貯留槽９０で除菌された貯留水９２を加湿フィルタ４１に付加して加湿できるとともに、加湿フィルタ４１で捕捉した空気中の臭気物質等を貯留槽９０で気泡ＢＡと処理液Ｌ２とで分解することができる。この結果、加湿フィルタ４１に付加される水を予め除菌することで、加湿フィルタ４１などからの異臭の発生を抑制することができることになる。また、加湿フィルタ４１に捕捉又は吸収された空気中に含まれる臭気成分をも分解して除去できるので、加湿器１０１を設置した空間及び加湿フィルタ４１の両方の異臭発生を抑制することができる。よって、家庭用又は事務所などの加湿機能付き空気清浄機、加湿器、又は、脱臭機等として、加湿器１０１を適用することができる。
【００４２】
また、ジュール熱によって気化させた気体、もしくは外部から導入した気体によって形成される気相Ｇは、浮力により一定の形状又は一定の位置で保持することが困難である。しかし、本実施形態１の気相Ｇは、周りの旋回流Ｆ１により、旋回流Ｆ１の中心軸Ｘ１に集まる方向へ力が加わるので、第１電極３０の右端部３０１の近傍に一定の気相Ｇを生成することができる。そのため、第１電極３０と第２電極３１との間に生成される気体の量の時間変化が少なく、プラズマＰに必要な電力が変化しにくいので、プラズマＰを安定して発生でき、循環水Ｌ１を含む処理槽１２内での液体の殺菌処理が効率良く迅速にできる。
【００４３】
また、プラズマＰの体積はカソード電極の近傍にある気相の体積以下になるが、ジュール熱により気化させた気体、もしくは外部から導入した気体によって形成される気相Ｇの形状は、バブル形状なので体積が一定以上になると分裂するため、一定の体積以上のプラズマＰを発生させることが困難である。しかし、本実施形態１の気相Ｇは、旋回流Ｆ１の旋回速度を確保できれば、中心軸Ｘ１の方向に体積を大きくすることが容易であるため、プラズマＰの体積を大きくしやすい。そのため、液体の殺菌処理量及び改質成分の生成量を増加させやすく、液体を迅速に殺菌できる。
【００４４】
また、液体が気化する際に体積が膨張するため、衝撃波が発生し、周辺の物体を破壊するキャビテーションが知られている。本実施形態１では、キャビテーションによる破壊が最も強くなるのは、処理槽１２の内径が最も小さく、旋回流Ｆ１の旋回速度が最も早くなる排出部１７である。そのため、気相Ｇの中でも第１電極３０の右端部３０１は、キャビテーションの破壊が最も強くなる箇所から離れているため、キャビテーションによる第１電極３０への影響を小さくなりプラズマＰを安定的に発生できる。
【００４５】
また、外部から空気を導入することなく循環水Ｌ１の処理を行うため、空気等の窒素成分を含んだ気体を導入した気相を活用したプラズマで発生する有害な亜硝酸の生成を抑制することができる。さらに、ＯＨラジカル又は過酸化水素等を内包した気泡ＢＡを含んだ処理液Ｌ２を生成することができる。
【００４６】
［実施形態２］
図６Ｅに示すように、実施形態２の加湿器１０２として、加湿器本体４０Ｂの処理液Ｌ２に浸かる加湿フィルタ４１Ｂが、ドラム形状ではなく、平板形状である場合を示している。
加湿フィルタ４１Ｂは、その下部が貯留槽９０の上部開口内に入り込み、貯留水９２に常時浸されており、毛細管現象などを利用して加湿フィルタ４１Ｂの上部まで吸い上げ、上部を空気が通過することにより、その空気を加湿している。
この実施形態２でも実施形態１と同様な作用効果を奏することができる。実施形態２では、実施形態１と比較して回転装置が不要な分だけ、加湿器１０２の構成が簡単なものとなる。
【００４７】
［変形例］
本実施形態１〜２で説明した液体処理装置１００の構成は一例であり、種々の変更が可能である。例えば、処理槽１２の内部構造又は第１電極３０又は第２電極３１の位置等については、本実施形態１〜２の構造に限定されない。
【００４８】
本実施形態１〜２では、処理槽１２は単純な円筒形状であったが、断面形状が円形である筒状の処理槽であり、処理槽の片方の端部に処理槽の中心軸上もしくは中心軸の近傍に窄まった穴形状の排出部を有していれば、様々な形状をとることが可能である。例えば、図７に示すように、半径が異なる円筒を組み合わせた処理槽１２１であっても同様の効果が得られる。図７では、導入部側の半径が排出部側の半径よりも大きくなるように構成している。又は、図８に示す円錐形状の処理槽１２２であっても同様の効果が得られる。好ましくは、旋回流Ｆ１が前方向Ｆにすべるのを防ぐために、図８に示すように、断面の内径が連続的に小さくなる円錐形状が好ましい。
【００４９】
また、本実施形態１〜２では、第１電極３０の形状は、棒電極であったが、第１電極３０の右端部３０１に電解が集中させる形状であれば、この限りではない。例えば、図９Ａで示すように、排出部側に向けて尖った円錐形状が付いた板形状の第１電極３２でもよい。また、図９Ｂで示すように、円錐形状の代わりに、排出部側に向けて湾曲するように突出した山形状の凸部３２Ｂが中央部に有する板形状の第１電極３２Ａでもよい。第１電極３２Ａでは、発生するプラズマＰに最も近い中央部が摩耗しやすいので、単なる平板の電極よりも、当該中央部を処理槽１２内に突出させる山形状の凸部３２Ｂを有する電極の方が寿命が長くて好ましい。さらに好ましくは、板形状の第１電極３２の代わりに、電極が磨耗した際に、処理槽１２内に電極の送り出しが容易な棒電極でもよい。
【００５０】
また、図１０で示すように、第１電極３０の電極支持筒２４を用いず、第２内壁２２に第１電極３０と絶縁体５３とを取り付ける構造にしても同様の効果が得られる。好ましくは、水の電気分解又はジュール熱の発生を抑えるために、プラズマ発生に必要な第１電極３０の右端部３０１と、電源６０との接続部以外は絶縁体で覆われているほうがよい。
【００５１】
また、本実施形態１〜２では、第１電極３０の材質は、一例としてタングステンであったが、特に導電性のある材料であれば限定はされない。好ましくは、水中で過酸化水素と接触するとフェントン反応を起こして高い殺菌効果を発現できる金属材料が好ましい。例えば、ＳＵＳ（ステンレス鋼）又は銅又は銅タングステンがよい。
【００５２】
本実施形態１〜２では、第２電極３１は、排出部１７に配置されているが、処理槽１２内に接地された第２電極の少なくとも一部が配置されていればこの限りではない。例えば、配置場所に関しては、図１１に示すように、棒状の第２電極３３として、第１内壁２１の中心軸Ｘ１の側方に配置するようにしても、同様の効果が得られる。また、図１２に示すように、処理槽１２外の貯留槽９０内でかつ貯留槽９０の処理液供給部９１近傍に棒状の第２電極３３として配置してもよい。また、図１３に示すように、筒状の第２電極３４として第１内壁２１の内側に配置してもよい。また、開口部３１１は円形としたが、多角形でもよく、さらには、第２電極は、分割された複数の金属部材を組み合わせて構成してもよい。好ましくは、旋回流Ｆ１を乱さないために、丸穴を有した板状もしくは円筒形状がよい。また、気相Ｇと第２電極の間が短いほうが水の抵抗が小さくなりジュール熱を抑制できるため、気相Ｇと第２電極の間が短くなる排出部１７もしくは排出部１７近傍に第２電極を配置するほうがよい。
【００５３】
処理槽１２に導入される循環水Ｌ１の流量は、処理槽１２の形状等に応じて、旋回流Ｆ１中に気相Ｇが発生する流量に設定される。また、第１電極３０と第２電極３１とに印加されるパルス電圧については、バイポーラではなくモノポーラで印加する場合、又は、電圧、パルス幅、又は周波数等は旋回流Ｆ１中に発生した気相ＧにプラズマＰを発生させることができる値に適宜設定することが可能である。
【００５４】
さらに、本発明の効果が得られる限り、電源６０はパルス電源以外の高周波電源等であってもよい。好ましくは、水の電気分解により電極間のｐＨが偏るので、カソードとアノードとを交互に交換できるバイポーラ印加がよい。
【００５５】
貯留槽９０は槽としているが、旋回流Ｆ１をせん断するために、貯留槽９０内に水を保持できる形状であれば、これに限定されない。例えば、処理液を輸送する配管としてもよい。好ましくは、排出部１７を循環水Ｌ１で満たし処理槽１２への空気の混入を防ぐために、図１４Ａに示すように装置本体１０は処理液を上向きに排出し、貯留槽９０は装置本体１０の上側にあるほうがよい。
【００５６】
また、貯留槽９０を構成する材料の材質としては、水が透過しなければよい。また、例えば、図１４Ｂに代表例として加湿器１０１において示すように、改質成分の１つである過酸化水素水とフェントン反応を起こして高い殺菌効果を発現できる銅若しくは鉄を含有した板部材９３を、加湿フィルタ４１，４１Ｂとは別に、貯留槽９０の一部（例えば内壁の一部）もしくはすべて（例えば内壁の全て）に使用することができる。また、板部材９３を、貯留槽９０とは別部材として貯留槽９０内に配置してもよい。加湿フィルタ４１，４１Ｂとして、銅又は鉄を含む材料のフィルタで構成することもできる。要するに、板部材９３が貯留槽９０内の処理液と接触すれば、改質成分の１つである過酸化水素水とフェントン反応を起こして高い殺菌効果を発現することができる。
【００５７】
以上、本発明の実施形態１〜２を説明したが、上述した実施形態１〜２は本発明を実施するための例示に過ぎない。よって、本発明は上述した実施形態１〜２に限定されることなく、その趣旨を逸脱しない範囲内で上述した実施形態１〜２を適宜変形して実施することが可能である。
すなわち、前記実施形態又は前記様々な変形例のうちの任意の実施形態又は変形例を適宜組み合わせることにより、それぞれの有する効果を奏するようにすることができる。また、実施形態同士の組み合わせ又は実施例同士の組み合わせ又は実施形態と実施例との組み合わせが可能であると共に、異なる実施形態又は実施例の中の特徴同士の組み合わせも可能である。
【産業上の利用可能性】
【００５８】
本発明の前記態様にかかる加湿器は、液体の中でプラズマを発生させて液体を殺菌するとともに液体から改質成分（液体由来のラジカル又は化合物等）を含む処理液を生成し、処理すべき空間に対して、処理液で加湿した空気を供給することができる。このため、本発明の前記態様にかかる加湿器は、殺菌、脱臭、又は、各種の環境改善等に利用することが可能である。
【符号の説明】
【００５９】
１０    装置本体
１２    処理槽
１５    導入部
１７    排出部
２１    第１内壁
２２    第２内壁
２３    第３内壁
２４    電極支持筒
３０    第１電極
３１    第２電極
３２    板形状の第１電極
３２Ａ    山形状の凸部を有する板形状の第１電極
３２Ｂ    山形状の凸部
３３    棒状の第２電極
３４    筒状の第２電極
４０，４０Ｂ    加湿器本体
４１    ドラム状の加湿フィルタ
４１Ｂ    矩形板状加湿フィルタ
４２    給水タンク
４８    回転軸
４９    回転装置
５０    液体供給部
５３    絶縁体
６０    電源
８０    水タンク
８１    一点鎖線（循環用配管）
８３    収容空間
９２    貯留水
９３    板部材
１００    液体処理装置
１０１，１０２    加湿器
１２１，１２２    処理槽
１５１    開口端
２４１    内側端面
３０１    右端部
３１１    開口部
８０１    第１電極
８０２    第２電極
８０３    液体
８０４    パルス電源
８０５    プラズマ
９０１    アノード電極
９０２    カソード電極
９０３    被処理液
９０４    気体
Ｂ    後方向
ＢＡ    気泡
Ｄ    下方向
Ｆ    前方向
Ｆ１    旋回流
Ｇ    気相
Ｌ    後方向から見て左方向
Ｌ１    循環水
Ｌ２    処理液
Ｐ    プラズマ
Ｒ    後方向から見て右方向
Ｕ    上方向
Ｘ１    略円柱状の収容空間の仮想の中心軸
【図１】
2018204842.tif 000003
【図２】
2018204842.tif 000004
【図３】
2018204842.tif 000005
【図４】
2018204842.tif 000006
【図５】
2018204842.tif 000007
【図６Ａ】
2018204842.tif 000008
【図６Ｂ】
2018204842.tif 000009
【図６Ｃ】
2018204842.tif 000010
【図６Ｄ】
2018204842.tif 000011
【図６Ｅ】
2018204842.tif 000012
【図７】
2018204842.tif 000013
【図８】
2018204842.tif 000014
【図９Ａ】
2018204842.tif 000015
【図９Ｂ】
2018204842.tif 000016
【図１０】
2018204842.tif 000017
【図１１】
2018204842.tif 000018
【図１２】
2018204842.tif 000019
【図１３】
2018204842.tif 000020
【図１４Ａ】
2018204842.tif 000021
【図１４Ｂ】
2018204842.tif 000022
【図１５】
2018204842.tif 000023
【図１６】
2018204842.tif 000024